(57)【特許請求の範囲】
【請求項１】
ハロゲンから誘導される化合物の存在下で、過剰の二酸素によってメチル基を触媒液相酸化することによって、対応するメチル置換芳香族化合物から芳香族酸を形成する際の流出流を含有し、したがって二酸素、一酸化炭素、炭化水素、及び臭化メチルを含んでなる排気ガス流を有する産業ユニットからの揮発性化学物質の放出を減少させるための方法であって、
（Ａ）一酸化炭素、水素、Ｃ1〜Ｃ5炭化水素化合物、１分子あたり少なくとも一つの酸素原子を有するＣ1〜Ｃ5有機化合物及びこれらの混合物からなる群から選択される可燃性流体を、大気圧乃至２０気圧（約０〜約３００ｐｓｉｇ）の範囲の圧力で当該排気ガス流中に分散させ；
（Ｂ）シリカ、α−アルミナ、チタニア、シリカアルミナ、ジルコニア及びγ−アルミナからなる群の少なくとも一つの物質、又はそれらの物質の少なくとも一つと、酸化タングステン、酸化バナジウム、酸化スズ及び金属白金、パラジウム及びロジウムからなる群の少なくとも一つの物質との組み合わせを含む固体酸化触媒上での酸化によって、当該可燃性流体を酸化させ、且つ、当該排気ガス流中の一酸化炭素の少なくとも９０％、炭化水素の少なくとも８０％及び臭化メチルの少なくとも５０％を分解し；
（Ｃ）排気ガス流に分配される可燃性流体の量を制御して、酸化によって二酸化炭素及び水を含む酸化流出流を形成するのに好適な２００℃〜６００℃の範囲の反応温度を保持するのに十分な触媒酸化のための反応物質を提供し；
（Ｄ）酸化流出流及び未処理の排気ガス流を、気／気交換器を通して同時に通過させて、その間で熱の移動を行わせることによって、触媒酸化からの酸化流出流を冷却し；
（Ｅ）ガススクラビング塔中において、冷却された酸化流出ガス流を、石灰、アンモニア、ギ酸ナトリウム、硫化ナトリウム、尿素及びホルムアルデヒドからなる群の少なくとも一つの物質を含む水性媒体と接触させて、可溶性化合物の液体溶液及び処理された排気ガス流を形成する；
工程を含むことを特徴とする方法。
【請求項２】
水性媒体が、ギ酸ナトリウム、硫化ナトリウム、尿素及びホルムアルデヒドからなる群の少なくとも一つの物質を含む請求項１に記載の方法。
【請求項３】
可燃性流体が、一酸化炭素、水素、メタノール、エタノール、１−プロパノール、２−プロパノール、２−ブタノール及び２−メチル−２−プロパノールからなる群の少なくとも一つの物質を含む請求項１又は２に記載の排気ガス処理方法。
【請求項４】
酸化が、２／３〜１４気圧（約１０〜約２００ｐｓｉｇ）の範囲の圧力、及び標準条件でのガス流速及び触媒の容量を基準として１０００ｈ-1〜５０，０００ｈ-1の範囲の空間速度で行われる請求項１〜３のいずれかに記載の方法。
【請求項５】
固体酸化触媒が、チタニア、又はチタニアと、酸化タングステン、酸化バナジウム、酸化スズ及び金属白金、パラジウム及びロジウムからなる群の少なくとも１つの物質との組み合わせを含み、チタニアがセラミック又は金属支持体上に付着されている請求項１〜４のいずれかに記載の方法。
【請求項６】
排気ガス流中の一酸化炭素の９５％以上が固体酸化触媒上での酸化によって分解され、排気ガス流中の炭化水素の９０％以上が固体酸化触媒上での酸化によって分解され、排気ガス流中の臭化メチルの８５％以上が固体酸化触媒上で臭化水素（ＨＢｒ）及び／又は臭素（Ｂｒ2）に転化される請求項５に記載の方法。
【請求項７】
可燃性流体が、水素、メタノール及びブタンからなる群の少なくとも一つの物質を含む請求項５又は６に記載の排気ガス処理方法。
【請求項８】
水性媒体が７〜９の範囲のｐＨの値を有する請求項１〜７のいずれかに記載の方法。
【請求項９】
シリカ、α−アルミナ、チタニア、シリカアルミナ、ジルコニア及び／又はγ−アルミナが、セラミック又は金属ハネカム支持体上に付着されている請求項１〜８のいずれかに記載の排気ガス処理方法。
【発明の詳細な説明】
技術分野
本発明は、揮発性化学物質の放出を減少させるための触媒排気ガス処理システムに関する。より詳しくは、本発明は、潜在的汚染物質を含む排気ガス流を有する産業プロセスからの一酸化炭素及び揮発性の有機化合物の放出を減少させるための装置及び方法に関する。
本発明は、
（Ａ）排気ガス流中に、制御された量の予め選択された可燃性流体を分散させ；
（Ｂ）可燃性流体を、酸化触媒上で昇温下で酸化させることによって、酸化し且つ同時に有害な揮発性有機化合物の実質的なフラクションを分解し；
（Ｃ）排気ガス流中に分配される可燃性流体の量を制御して、好適な範囲の反応温度を保持するのに十分な触媒酸化のための反応物質を与える；工程を含むことを特徴とする排気ガス処理法を提供する。
本発明の種々の態様は、有機酸、特に、ハロゲンから誘導される１以上の化合物を含む酸化触媒系の存在下で、圧縮空気のような二酸素の源と接触させることによりメチル基を液相酸化することによって、対応するメチル置換芳香族化合物から形成される二塩基性芳香族酸を商業的に製造する方法に関する。本発明による統合処理システムは、芳香族酸を形成する液相酸化プロセスからの一酸化炭素及び揮発性の有機化合物の放出を減少させるのに有利に用いられる。
本発明に従う方法によって、通常、約９０％〜約９５％以上及びそれより高い範囲の一酸化炭素に関する分解効率及び約８０％〜約９０％以上及びそれより高い範囲の炭化水素に関する分解効率が達成される。本発明に従う選択された酸化触媒を用いるプロセスによって、約５０％〜約８５％以上又はそれより高い範囲のアルキルハライド化合物に関する分解効率を有利に達成することができる。
発明の背景
熱及び触媒焼却は、いずれも、広く知られており、種々の産業プロセスから生じる排出空気及び他のガス流において見られる有害な揮発性有機化合物の分解のために用いられている。これらの流れは、有機化学物質及びポリマーの製造プロセスから、及び、金属加工、機械加工及び仕上げ処理における洗浄及び脱脂の目的のために揮発性有機溶媒が用いられる操作から生じる。触媒焼却は、熱焼却代替法よりも相当に低温で比較的低い残留時間で操作することができるが、通常、種々の産業プロセスからの有害な揮発性有機化合物の分解のための触媒活性を得るのに好適な昇温操作温度を与えるためには、炉及び／又は他の熱交換装置をはじめとする更なる装置が必要であった。
触媒焼却の商業的に実施可能な適用においては、分解して、その触媒活性を破壊する化合物に、選択された触媒が曝露されるのを避けることが望ましい、揮発性の有機化合物に対して適当な酸化触媒系の選択において、特別の注意が必要である。処理しなければならないガス流の多くは、相当量のハロゲン及び／又はハロゲン化化合物を含んでいる。しかしながら、従来の触媒焼却において用いられている幾つかの貴金属触媒は、これらの化合物の分解により生じるハロゲン原子によってその特性が大きく抑制され、この望ましくないプロセスは、一般に、これらのガス流のためのかかる触媒と共に用いることができない。
自動車及び他の乗物用途において用いられている内燃機関からの大気汚染の減少における最近の継続した関心事が、かかる断続操作のための装置の多くの開示によって示されている。通常、大気汚染の減少及び／又は幾つかの規制基準が、開示された装置を用いて満足できたことが記載されている。しかしながら、大きな改良の達成は、特定の装置と、改変されたエンジシ設計及び特殊な燃料との組合せに基づくものである。燃料品質の改良としては、概して、特定の汚染物質の公知の前駆物質である化合物を燃料組成物から排除すること、及び、排気ガスの組成を変化させることのできる更なる化合物を配合することが挙げられる。
カミハラ・テツヤの名前で最近特許され、日産自動車に譲渡された米国特許第５，１９３，３４０号は、内燃機関用途のための排気ガスシステムの代表例である。殆どのディーゼルエンジンは、現在では、ディーゼルエンジンから放出される粒状物質などをトラップするための、排気路中に配置されるトラップフィルターを具備している。トラップフィルターによって捕集された粒状物質の蓄積によってエンジンの背圧が増大する場合には、粒状物質を周期的に燃焼してトラップフィルターを再生する。カミハラの装置においては、トラップフィルターは、再生の前にフィルター中に捕集された粒状物質の燃焼を促進させるための酸化触媒を含む。トラップフィルターの上流の排気路中にディーゼル燃料を噴射するための噴射バルブが与えられていて、トラップフィルターにディーゼル燃料が供給されるようになっている。ディーゼル燃料は、酸化触媒の作用下でトラップフィルター中で燃焼されて、それによって粒状物質が燃焼されて、トラップフィルターのための再生操作が行われる。操作の際には、噴射されるディーゼル燃料の量を、エンジンへ供給される導入空気量が増加するにつれて増加させ、排気ガス温度が上昇するにつれて減少させるように制御して、トラップフィルターでの熱損傷を制限又は避けている。粒状物質を周期的に燃焼させてトラップフィルターを再生すると、トラップフィルターによって捕集された粒状物質の蓄積によるエンジンの背圧が低下し、それによって、背圧がエンジン特性に悪影響を与えるのが防止される。更なるディーゼル燃料の燃焼による再生操作の間に、システムから非開示量の増大したガス状汚染物質が大気中に排気される。
排気ガスから可燃性粒子を濾過し、フィルター床及びその触媒部分を回復させるための更なる方法が、例えば、Kashmir S. Kirk及びMartin Alpersteinの名前で出願され、Texaco Inc.に譲渡された米国特許第４，３２２，３８７号、米国特許第４，３５９，８６２号及び米国特許第４，３７２，１１１号、Kashmir S. Kirk及びRobert B. Burnsの名前で出願され、Texaco Inc.に譲渡された米国特許第４，３５９，８６３号において記載されている。
ガス流と熱を交換するように適合された固体のガス透過性床を、代わる代わる、触媒酸化床からの熱流出流で加熱し、且つ、床を通るガス流の方向を周期的に逆転させることによって床中へのガスの流れで冷却する触媒焼却装置のより初期の例が、Eugene J. Houdryの名前で出願されOxy-Catalyst Inc.に譲渡された米国特許第２，９４６，６５１号に記載されている。操作においては、十分なディーゼルオイルを加熱したガス流中に噴射し、気化させて、次にガス透過性固体の床を加熱するために用いられる触媒床上で触媒酸化させたことが示されている。用いた触媒は、５％の銅及び酸化クロムを含浸した直径０．１インチのペレット形態の活性アルミナであった。熱交換床は、密融解アルミナ（Corhart）からなる同等の寸法のペレットであった。
排気ガスの触媒清浄化のために予備加熱を用いるか及び／又は流れを逆転させる更なる方法は、例えば、Kang Yang及びJames D. Reedyの名前で出願され、Continental Oil Companyに譲渡された米国特許第４，０５９，６７６号；Jury S. Matros、Viktor A. Chumachenko、Ljudmila J. Zudilina、Alexandr S. Noskov及びEvgeny S. Bugdanの名前で出願され、Institit Kataliza Sibirskogo Otdelenia Akademii Nauk SSSRに譲渡された米国特許第４，８７７，５９２号,Spetsialnoe Konstruktorsko-Technologicheskoe Bjuro Katalizatorov S Optnym Zavodim；John C Shumacher、Joesph C. McMenamin、Lawrence B. Anderson、Harold R.Cowels及びStephen M. Lordの名前で出願され、Custom Engineered Materials Inc.に譲渡された米国特許第４，９６６，６１１号に記載されている。
用いられている装置及び方法に拘わらず、それぞれの商業的な使用が成功するか否かは、分解することが望ましい揮発性化合物に対して好適な酸化触媒の選択及びそのシステムにおける触媒の活性寿命にかかっている。有用な触媒寿命は、酸化触媒がこれらの触媒活性を破壊する化合物に曝露されることによって、しばしば制限される。歴史的に、処理しなければならない排気ガス流の多くのものの中に相当量のハロゲン及び／又は有機及び無機ハロゲン化化合物が存在することにより、この用途のための制御方法として触媒酸化を用いることが妨げられてきた。ハロゲン及び／又はハロゲンから誘導される化合物が存在することにより、かかる化合物がプロセス中で分解されるかどうかに拘わらず、幾つかの貴金属触媒の特性が劣化し且つ一時的に被毒されると考えられる。
場合によっては他の金属と組み合わせて、貴金属（白金）を含む可燃性物質を燃焼させるための触媒が、Herman S. Biochの名前で出願され、Universal Oil Products Companyに譲渡された米国特許第３，３７８，３３４号に記載されている。水和金属酸化物触媒もまた記載されている。例えば、Edward J. Sare及びJerome M Lavanishの名前で出願され、PPG Industries,Inc.に譲渡された米国特許第４，０５９，６７７号においては、Ｃ2〜Ｃ4ハロゲン化炭化水素、特に塩化ビニルのような不飽和塩素化炭化水素を含む廃棄物を、マンガン及びコバルトの水和酸化物の組合せの存在下で燃焼させることが教示されている。第VIII族金属（白金）を含む支持触媒系が、Eugene H. Hirschberg及びGeorge A. Huff, Jr.の名前で出願され、Amoco Corporationに譲渡された米国特許第５，１４５，８２６号において開示されている。米国特許第３，３７８，３３４号、４，０５９，６７７号及び５，１４５，８２６号の開示は、完全に参照として本明細書中に包含する。
George R. Lesterの名前で出願され、Allied-Signal Inc.に譲渡された米国特許第５，２９２，７０４号においては、炭素−水素結合を有しないＣ1ハロゲン化化合物を含む廃棄物を、貴金属（白金、パラジウム及びロジウム）、チタニア、酸化バナジウム、酸化タングステンの活性触媒成分、及び場合によっては有効量の水の特定の組合せの存在下で、一酸化炭素及びハロ酸（ＨＣｌ、ＨＢｒ等）に燃焼させることが教示されている。米国特許第５，２９２，７０４号の開示は、完全に参照として本明細書中に包含する。しかしながら、ハロ酸は、極めて腐食性の汚染物質である。
したがって、本発明の一般的な目的は、潜在的な汚染物質の混合物を含む排気ガス又は排気ガス流を有する化学プロセスからの一酸化炭素及び揮発性有機化合物の放出を減少させるための従来技術の方法の上記問題点を克服する改良された装置及び方法を提供することにある。
より詳しくは、本発明の目的は、揮発性化学物質を用いる産業プロセスからの有害物質の放出を減少させるための、統合触媒排気ガス処理システムを提供することにある。
本発明の他の目的は、大気中に放出される排気ガスの粒子状物質レベルの低下を達成することによって空気汚染を減少する、統合触媒排気ガス処理システムを提供することにある。
本発明の他の目的は、より低い操作温度で、一酸化炭素及び潜在的な汚染物質のレベルの低下を達成する統合触媒排気ガス処理システムを提供することにある。
本発明の他の目的は、一酸化炭素及び潜在的な汚染物質のレベルを制御しながら燃料効率の向上及び燃料必要量の減少を達成する統合触媒排気ガス処理システムを提供することにある。
本発明の更に他の目的は、燃焼器装置の寿命を延ばし、メンテナンスコストを低下させ、施設の停止の頻度及び時間を減少させる統合触媒排気ガス処理システムを提供することにある。
本発明の更に他の目的は、低下したエネルギーコストを有する統合触媒排気ガス処理システムを提供することにある。
上記の目的は、本発明の統合触媒排気ガス処理システムによって達成することができるが、本発明の他の目的及び有利性は、以下の詳細な説明及び請求の範囲を参照することによって明らかとなろう。
発明の概要
潜在的な汚染物質及び過剰の二酸素を含む排気ガス流を有する化学プロセスからの一酸化炭素及び揮発性有機化合物の放出を減少させるための経済的な処理システムが開示される。本発明によるプロセスは、広範には、
（Ａ）排気ガス流中に、制御された量の予め選択された可燃性流体を分散させ；
（Ｂ）酸化触媒上で昇温下で酸化させることによって、可燃性流体を酸化し且つ同時に有機汚染物質の実質的なフラクションを分解し；
（Ｃ）排気ガス流中に分配される可燃性流体の量を制御して、好適な範囲の反応温度を保持するのに十分な触媒酸化のための反応物質を与える；工程を含む。
本発明によれば、二酸素、一酸化炭素、炭化水素、及び炭素原子数１〜５の１以上のアルキルハライド化合物を含む他の有機化合物を含む排気ガス流を有する産業ユニットからの揮発性化学物質の放出を減少させるための方法であって、
（Ａ）一酸化炭素、水素、Ｃ1−Ｃ5炭化水素化合物、１分子あたり少なくとも一つの酸素原子を有するＣ1〜Ｃ5有機化合物及びこれらの混合物からなる群から選択される可燃性流体を、大気圧乃至２０気圧（約０〜約３００ｐｓｉｇ）の範囲の圧力で排気ガス流中に分散させ；
（Ｂ）シリカ、α−アルミナ、チタニア、シリカアルミナ、ジルコニア及びγ−アルミナからなる群の少なくとも一つの物質、及び場合によっては酸化タングステン、酸化バナジウム、酸化スズ及び金属白金、パラジウム及びロジウムからなる群の少なくとも一つの物質を含む固体酸化触媒上で酸化させることによって、可燃性流体を酸化させ、且つ、排気ガス流中の一酸化炭素の少なくとも９０％、炭化水素の少なくとも８０％及びアルキルハライドの少なくとも５０％を分解し；
（Ｃ）排気ガス流に分配される可燃性流体の量を制御して、酸化によって未反応の二酸素、二酸化炭素及び水を含む酸化流出流を形成するのに好適な２００℃〜６００℃の範囲の反応温度を保持するのに十分な触媒酸化のための反応物質を提供し；
（Ｄ）酸化流出流及び未処理の排気ガス流を、気／気交換器を通して同時に通過させて、その間で熱の移動を行わせることによって、触媒酸化からの酸化流出流を冷却し；
（Ｅ）ガススクラビング塔中において、冷却された酸化流出ガス流を、石灰、アンモニア、ギ酸ナトリウム、硫化ナトリウム、尿素及びホルムアルデヒドからなる群の少なくとも一つの物質を含む水性媒体と接触させて、可溶性化合物の液体溶液及び処理された排気ガス流を形成する；
工程を含むことを特徴とする方法が提供される。
可燃性流体の選択は、その酸化によって、触媒活性に悪影響を与えることなく、酸化触媒上での操作条件を制御するのに必要な実質量の熱を与えるのに重要である。有利には、可燃性流体中の化合物は、操作条件において蒸気状態でなければならない。好適な可燃性流体は、一酸化炭素、水素、炭化水素化合物、及び、一分子あたり少なくとも１個の酸素原子を有する有機化合物を含む。概して、本発明に係る可燃性流体として有用な有機化合物は、約２００〜約−１６５℃の温度範囲、好ましくは約１６０℃〜約−５０℃の温度範囲、より好ましくは約１３０℃〜約３０℃の温度範囲の標準沸点を有する、アルカン、アルケン、アルコール、エーテル、アルデヒド（アルカナール）、ケトン（アルカノン）、有機酸及びこれらの混合物のような化合物からなる。予め選択された可燃性流体は、一酸化炭素、水素、Ｃ1〜Ｃ5炭化水素化合物、一分子あたり少なくとも１個の酸素原子を有するＣ1〜Ｃ5有機化合物からなる群の物質、好ましくは、一酸化炭素、二水素（Ｈ2）、メタノール、エタノール、１−プロパノール、２−プロパノール、２−ブタノール及び２−メチル−２−プロパノールからなる群の少なくとも一つの物質を含む。
有用な可燃性流体の例としては、プロパン、ブタン、ペンタン、エテン（エチレン）、プロペン（プロピレン）、１−ブテン（α−ブチレン）、２−ブテン（β−ブチレン）、メチルプロペン（イソブチレン）、１−ペンテン（α−アミレン）、２−ペンテン、２−メチル−１−ブテン、２−メチル−２−ブテン、メタノール、エタノール、１−プロパノール、２−プロパノール、１−ブタノール、２−ブタノール、２−メチル−１−プロパノール（イソブチルアルコール）、２−メチル−２−プロパノール（ｔｅｒｔ−ブチルアルコール）、メトキシメタン（ジメチルエーテル）、メトキシエタン（メチルエチルエーテル）、エトキシエタン（ジエチルエーテル）、１−メトキシプロパン（メチル−ｎ−プロピルエーテル）、２−メトキシプロパン、（メチルイソプロピルエーテル）、１−メトキシブタン（メチル−ｎ−ブチルエーテル）、メタナール（ホルムアルデヒド）、エタナール（アセトアルデヒド）、プロパナール（プロピオンアルデヒド）、ブタナール（ｎ−ブチルアルデヒド）、メチルプロパナール（イソブチルアルデヒド）、ペンタナール（ｎ−バレロアルデヒド）、ジメチルプロパナール（ピバルデヒド）、プロパノン（アセトン）、ブタノン（メチルエチルケトン）、３−ペンタノン（ジエチルケトン）、２−ペンタノン（メチル−ｎ−プロピルケトン）、メタン、エタン及びこれらの混合物が挙げられる。
広範な態様においては、本発明は、潜在的な汚染物質及び過剰の二酸素を含む排気ガス流を有する化学プロセスプラントからの一酸化炭素、揮発性炭化水素及び他の揮発性化合物の放出を減少させるための排気ガス処理システムである。より詳しくは、該システムは、固体酸化触媒を含み、排気ガス流中に配置されている酸化容器；酸化触媒の上流の排気ガス流の温度を測定するための手段；有機汚染物質の触媒酸化を容易にする量の可燃性流体を酸化圧力容器の上流の排気ガス中に供給するための手段；酸化触媒の下流の排気ガスの温度を測定するための手段；好適な反応温度を保持するのに十分な触媒酸化のための反応物質を与えるように調整されている、供給手段によって分配される可燃性流体の量を制御するための手段；を有する。
本発明による排気ガス処理システムは、有利には、酸化容器からの酸化流出流及び未処理の排気ガス流の両方の中に配置され、それらの間で熱を移動させるための気／気熱交換器を有することができる。場合によっては、ガススクラバーを、気／気熱交換器の下流の酸化流出流中に配置することができる。
他の態様においては、本発明は、有機汚染物質及び過剰の二酸素を含む排気ガス流を有する化学プロセスプラントからの一酸化炭素、揮発性炭化水素及びアルキルハライド化合物の放出を減少させるための排気ガス処理プロセスである。このプロセスは、
（Ａ）排気ガス流中に、制御された量の可燃性流体を分散させ（ここで、排気ガス流の温度は約２５℃より上の温度範囲、通常は約３０〜約６００℃の温度範囲である）；
（Ｂ）選択された酸化触媒上で、約１５０℃より上の範囲の温度、通常は約２００℃〜約６００℃の範囲の温度で酸化することによって、可燃性流体を酸化し且つ有機汚染物質の実質的なフラクションを分解し；
（Ｃ）排気ガス流中に分配される可燃性流体の量を制御して、好適な範囲の反応温度を保持するのに十分な触媒酸化のための反応物質を与える；工程を含む。好適な可燃性流体の一つの種類は、好ましくは、水素、及び、一分子あたり少なくとも１個の酸素原子を有し、約２００℃〜約−１６５℃、好ましくは約１６０℃〜約−５０℃、より好ましくは約１３０℃〜約３０℃の温度範囲の標準沸点を有する有機化合物からなる群から選択される。
本発明の種々の態様は、有機酸及び／又はその無水物、特に二塩基芳香族酸、例えばイソフタル酸、テレフタル酸、２，６−ナフタレンジカルボン酸、或いはトリメリット酸無水物などのような無水物の商業的製造のための触媒酸化法に関する。通常、ハロゲンから誘導される１以上の化合物が、二塩基芳香族酸の商業的製造のために用いられる酸化触媒系の重要な成分である。例えば、排気ガス流が、酸化触媒系の存在下、昇圧及び昇温下で、圧縮空気のような二酸素の源と接触させることによって対応するメチル置換芳香族化合物から芳香族酸を形成する液相酸化法からの、窒素、過剰の二酸素、揮発性炭化水素化合物、及び揮発性アルキルハライド化合物のような他の有機化合物を含む流出流を含む方法である。本発明による統合処理システムは、有利には、イソフタル酸、テレフタル酸、２，６−ナフタレンジカルボン酸及び他の二塩基酸のような芳香族酸を形成する液相酸化法からの一酸化炭素及び揮発性有機化合物の放出を減少させるために用いられる。
以下の説明及び添付の請求の範囲を添付の図面と組み合わせて、より詳細な説明を与える。
【図面の簡単な説明】
添付の請求の範囲は、本発明を特徴づける新規な特徴を示す。しかしながら、本発明それ自体並びにその有利性は、好ましい態様の以下の詳細な説明と、添付の図面と組み合わせて参照することによって、最もよく理解することができる。
図１は、化学プロセスプラントからの一酸化炭素及び揮発性有機化合物の放出を減少させるための排気ガス処理の統合プロセスの一部の簡潔化したダイアグラムであり、固体酸化触媒上での排気ガス流中の二酸素による有機汚染物質の触媒酸化のための手段；有機汚染物質の触媒酸化を容易にする量の可燃性流体を酸化圧力容器の上流の排気ガス流中に供給するための手段；及び、供給手段によって供給される可燃性流体の量を制御し、本発明に従う好適な反応温度を保持するのに十分な触媒酸化のための反応物質を与えるように調整された手段；を包含する。
発明の簡単な説明
本発明による揮発性化学物質の放出を減少させるための触媒排気ガス処理システムは、好適には、広範囲の産業プロセスに包含される排気空気及び他のガス流において見られる揮発性有機化合物を分解するのに用いられる。かかる流れは、例えば、有機化学物質及びポリマーの製造、布帛被覆、食品加工、ラバー製造操作のためのプロセスから、並びに、金属加工、機械加工及び仕上げ処理において被覆、洗浄及び／又は脱脂の目的のために揮発性有機溶媒を用いる操作から発生する。
本発明の触媒プロセスにおいて処理するのに好適な排気ガス流は、触媒装置の運転範囲内の温度において酸素の存在下で燃焼し得る殆どの物質を含んでいてよい。これらの材料は、概して、一酸化炭素、水素、炭化水素化合物、及び、酸素、窒素、ハロゲンなどのような他の原子を含む有機化合物であるが、これらに限定されない。概して、潜在的な汚染物質としては、排気ガス流中に見られる蒸気を形成する、アルカン、アルケン、アルコール、エーテル、アルデヒド（アルカナール）、ケトン（アルカノン）、有機酸及びこれらの混合物のような揮発性化合物が挙げられる。
安全な操作のためには、排気空気又は排気ガス流中の有機化合物の量は、概して、操作条件における低爆発限界（ＬＥＬ）を実質的に下回る、好ましくはＬＥＬの約５０％より下の範囲、より好ましくはＬＥＬの約２５％より下の範囲でなければならない。ガス流の組成は、通常、好適な範囲の反応温度を保持するのに十分な触媒酸化のための反応物質を与えるように、排気ガス流中へ分配される可燃性流体の量を制御しながら、安全操作のためのオンライン分析装置によって監視される。
本発明において有用な全反応器圧力の範囲は、大気圧以下から約１０００ｐｓｉｇ、好ましくは大気圧以下から約６００ｐｓｉｇ、より好ましくは大気圧から約３００ｐｓｉｇ、最も好ましくは約１０ｐｓｉｇ〜約２００ｐｓｉｇの範囲で行われる。
本発明による排気ガス処理は、排気ガス流を、過剰の酸素の存在下、通常は約６００℃以下の範囲の好適な温度で、触媒と接触させることを含む。本発明の操作は、有利には、排気ガス流の組成及び特定の触媒系の性質に依存して、約５５０℃〜約５０℃の範囲の酸化触媒への導入温度で行われる。触媒は、平衡における反応生成物の組成を変化させないが、反応物質を、その平衡状態に向かって、より低いエネルギーレベル（より低い操作温度）で促進させることができる。真の触媒は反応中に消費されないが、触媒は、排気ガス流中の特定の化合物の存在又は厳しい操作条件によって、被毒又は失活する可能性がある。
有用な容量時間空間速度の範囲は、触媒の容量を基準として、約１００ｈｒ-1〜約２００，０００ｈｒ-1、好ましくは約１０００ｈｒ-1〜約５０，０００ｈｒ-1で行われる。
本発明によれば、酸化触媒は、触媒支持体上に配置された燃焼促進金属を含む。ＣＯ及び／又はアルコール、セロソルブ、アルデヒドなどのような高い相対分解性を有する有機化合物を含む廃棄流の処理のためには、塩基性金属触媒を用いることができる。概して、特定の種類の有機化合物の分子量が高くなると、その相対分解性はより高くなる。芳香族類、ケトン、アセテート、アルカン、ハロゲン化炭化水素などのようなより低い相対分解性を有する有機化合物を含む廃棄流の処理のためには、貴金属触媒が有利に用いられる。
本発明においては、触媒は、触媒の酸化促進成分を処理すべきガス流中に曝露する任意の好都合な構造、形状又は寸法で用いることができる。例えば、触媒は、ピル、ペレット、グラニュール、リング、球体等の形態であってよい。触媒の周期的な取り替えが望ましい状況において用いる場合のように、大容量の触媒が必要な場合には粒状形態が特に望ましい。より小さな質量が望ましい状況や、触媒の粒子を移動又は振とうさせることにより、摩滅、粉化及びその結果として分配金属の損失が起こったり、粒子を横切る圧力降下における過度の上昇が起こる可能性がある状況においては、一枚岩（モノリス）状の形態が好ましい。本発明によれば、触媒は、通常、ペレット化形態又はモノリス形態で用いる。
酸化触媒のための支持体は、酸化反応に対して、触媒的に活性でないか又は更に不活性であってよい。望ましくは、支持体は、多孔質であり、表面上の孔の面積を含めて、少なくとも約２５ｍ2／ｇ〜約２５０ｍ2／ｇ、好ましくは約５０ｍ2／ｇ〜約２００ｍ2／ｇ、最良の結果のためにはより好ましくは約８０ｍ2／ｇ〜約１５０ｍ2／ｇの表面積を有する。本発明において用いるのに好適な支持体としては、ムライト、スピネル、砂、シリカ、アルミナ、シリカアルミナ、チタニア、ジルコニア、α−アルミナ、γ−アルミナ、δ−アルミナ及びη−アルミナが挙げられる。α−アルミナ、γ−アルミナ、シリカ又はシリカアルミナを含む支持体が好ましい。α−アルミナ又はγ−アルミナを含む支持体がより好ましい。
酸化触媒の支持体成分は、純粋であるか又は幾つかの物質の複合体であってよい。複合支持体は、触媒に対して特別の化学又は物理特性を加えることが望ましい場合に有利である。例えば、高い耐摩滅性を有する基材材料及び高い表面積を有する基材被覆材料の両方の特別の利益を得るために、酸化触媒は基材及び基材被覆を含むことができる。基材及び基材被覆は、従来の含浸法によって組み合わせることができる。酸化触媒のための複合支持体として用いるのに好適な材料は、ムライト、スピネル、α−アルミナ及び砂である。α−アルミナが好ましい複合支持体である。複合基材被覆として用いるのに好適な材料は、シリカ、アルミナ、チタニア、シリカアルミナ、ジルコニア、α−アルミナ、γ−アルミナ、δ−アルミナ及びη−アルミナである。シリカ、チタニア、シリカアルミナ及びγ−アルミナを含む複合基材被覆が好ましい。γ−アルミナを含む複合基材がより好ましい。
本発明方法の燃焼促進金属は、分子状酸素の存在下での一酸化炭素の二酸化炭素への酸化を促進させるために当該技術において用いられており且つ一般に知られているタイプのものであってよい。金属は、元素状態であるよりは、酸化物のような複合形態のものであってよい。燃焼促進金属は、物理的か又は化学的に組合わされた２以上の触媒的に活性な金属を含んでいてよい。本発明方法において用いるのに好適な燃焼促進金属は、周期律表の遷移族元素（ＩＵＰＡＣ）、好ましくは第VIII族の金属、より好ましくは貴金属、更に好ましくは白金及びパラジウムである。一酸化炭素の酸化のための高活性を維持する能力のために、白金が好ましい。
本発明方法において用いる酸化触媒に加える燃焼促進金属の割合は、触媒コスト及びプロセス効率の関数である。促進金属の好ましい濃度は、最小の触媒コストでプロセスの目的を達成する範囲である。概して、燃焼促進金属は、酸化触媒の高コスト成分である。金属濃度をより高く、容量使用量をより低くすると、支持体及び酸化触媒のコストが減少する。本発明の燃焼促進触媒上での好適な金属濃度は、約０．１ｐｐｍ〜約１５，０００ｐｐｍ、好ましくは約０．５ｐｐｍ〜約１０，０００ｐｐｍ、最良の結果のためにはより好ましくは約１ｐｐｍ〜約８，０００ｐｐｍの範囲であってよい。
白金族成分は、支持体との共沈殿又は凝集、イオン交換又は含浸のような、任意の好適な方法で支持体中に含ませることができる。好ましくは、白金族成分は、支持体上に実質的に均一に分配される。白金族成分を支持体に加える一つの好ましい方法は、焼成前に支持体を含浸させるために白金族成分の水溶性化合物を用いることを包含する。例えば、未焼成の支持体をクロロ白金酸の水溶液と混合させることによって、白金を支持体に加えることができる。例えばアンモニウムクロロプラチネート及び塩化白金などの白金の他の水溶性化合物を含浸溶液として用いることができる。
本発明において用いられる酸化触媒は、固定床酸化において用いるのに適当な物理特性を有していなければならない。本方法の実施において最も重要な物理特性は、触媒を横切る圧力損失及び摩滅に対する抵抗性である。
幾つかの特に有用な排気ガス酸化触媒が開示されている。例えば、米国特許第３，３７８，３３４号（その開示は全体を参照としてここに包含する）においては、白金、パラジウム、イリジウム、ルテニウム、ロジウム、白金／鉄、白金／コバルト、白金／ニッケル、パラジウム／鉄、パラジウム／コバルト、パラジウム／ニッケル、白金／パラジウム、パラジウム／銅／コバルト、白金／銅／リチウム／コバルト、白金／コバルト／銅、銅／コバルト／ニッケル／白金、白金／パラジウム／コバルト、マンガン／白金、白金／コバルト／マンガン、リチウム／白金／コバルト、銅／コバルト／リチウム等をはじめとする種々の混合物のような、約５％以下の触媒的に活性の金属を含む球状の触媒粒子の固定床が記載されている。これらの酸化触媒は、概して、アルミナ、アルミナ−シリカ、アルミナ−ジルコニア等のような高表面積の耐火性無機酸化物のベース又は支持体を含み、その上に沈殿又は含浸法によって１以上の活性成分、即ち触媒的に活性の金属又は金属酸化物が付着されているという点で、他の炭化水素転化触媒と同様の方法で構成されている。可燃性ガスを燃焼させるのに特に望ましい活性化成分は、白金族の金属、特に白金及びパラジウムであり、これらは、より長い時間にわたる、一酸化炭素、炭化水素及び酸素化炭化水素に関する優れた転化活性を示す。
非酸化性支持体上に配置されたルテニウム、ルテニウム／白金及び白金を含む好適な触媒が、米国特許第４，０５９，６７５号、４，０５９，６７６号、４，０５９，６８３号にそれぞれ記載されており、これらの開示は全体を参照としてここに包含する。１番目の特許においては、４個以下の炭素原子を有し、少なくとも塩素原子と同程度の多さの水素原子を有する塩素化炭化水素化合物を少なくとも約３５０℃の温度で分解するための、非酸化性支持体上の０．０１〜１．０重量％のルテニウムを用いることが教示されている。２番目の特許においては、４個以下の炭素原子を有し、少なくとも塩素原子と同程度の多さの水素原子を有する塩素化炭化水素化合物を少なくとも約３５０℃の温度で分解するための、微細金属ルテニウムと貴金属、即ちルテニウム１部あたり１〜２０部の微細金属白金の両方が、非酸化性支持体上に支持されている、バイメタル触媒を用いることが教示されている。分解される塩素化化合物としては、ビニルクロリド、及び、ビニルクロリドを含み、少なくとも塩素原子の全数と同等の混合物中の水素原子の全数を有するＣ1塩素化化合物及びＣ2塩素化化合物の混合物が挙げられる。これらの触媒を用いて、酸化生成物であるＣＯ2、Ｈ2Ｏ、ＨＣｌ及びＣｌ2が生成する。
（ａ）アルミナ支持体及び希土類金属上に分散された鉄、特に鉄及びプラセオジミウムの酸化物；及び（ｂ）タングステンラジカルの平均原子価状態が４を超え６未満であるタングステンの中間酸化物；を含む好適な触媒が、米国特許第４，６１０，９７５号（この開示は全体を参照としてここに包含する）において記載されている。
多孔質支持体上に支持されたパラジウム及び／又は白金及び少なくとも三つの促進剤成分を含む触媒が、米国特許第４，８５７，４９９号（この開示は全体を参照としてここに包含する）において記載されている。第１の促進剤成分としては、ランタン、セリウム、プラセオジミウム及びネオジミウムのような希土類元素、バリウム、ストロンチウム及びカルシウムのようなアルカリ土類金属、及びその酸化物の一つが挙げられ、第２の促進剤成分としては、マグネシウム、ケイ素及びその酸化物が挙げられ、第３の促進剤成分としては、ニッケル、ジルコニウム、コバルト、鉄及びマンガンのような重金属及びその酸化物の一つが挙げられる。
より最近には、ハロゲン含有有機化合物を二酸化炭素及び対応するハロ酸に転化させるために有効量の水と共に用いるための、チタニア及び場合によっては酸化タングステン、酸化バナジウム、酸化スズ及び貴金属白金、パラジウム及びロジウムを含む特に有用な触媒が、米国特許第５，１７６，８９７号（この開示は全体を参照としてここに包含する）に記載されている。
以下の実施例によって、ここに開示する発明のある特定の態様を説明する。しかしながら、これらの実施例は、新規な発明の範囲を制限するものではなく、本発明の精神から逸脱することなく、多くの変更が当業者に明らかである。
発明の実施例
概略
以下の実施例において、支持触媒床を含むように適合された小型の円筒状反応容器（内径３／４インチ、長さ６インチ）を用いて、酸化触媒上、昇温下で、可燃性流体の酸化及び潜在的に有害な揮発性有機化合物の実質的なフラクションの分解を同時に行う方法を実施した。電気ヒーターによって外表面を加熱した。反応容器の内表面は、これらの実施例において用いられる種々の操作条件下で触媒活性を示さない材料で作られていた。熱電対を装置全体、特に反応容器中の触媒床のすぐ上及び下に配置した。可燃性流体及びシミュレートされた排気ガスを、連続的に計量し、反応容器の上流の静的ミキサーを通して通過させた。反応容器に入るガス状混合物の温度は、通常、約２００℃であった。反応容器供給流及び流出ガス中の有機化合物の濃度を、炎イオン化検出を用いるガスクロマトグラフィーによって測定した。一酸化炭素及び二酸化炭素の濃度を、赤外分析を用いて測定した。酸素濃度を、電気化学分析器によって測定した。他に示さない限り、ガス組成は、容量％及び容量ｐｐｍ（ｐｐｍｖ）で示す。
実施例１
本実施例においては、本発明にしたがって、可燃性流体としてメタノールを用い、セラミックモノリスの形態か又はその上に支持された貴金属揮発性有機化合物分解触媒を用いて、一連の排気ガス処理を行った。
反応容器に入るガス状混合物は、酸素約２〜約６％、一酸化炭素約０．１〜約０．５％、二酸化炭素約０．５〜約３．０％、水約０．２〜約２．０％、メチルアセテート、メチルブロミド、メチルホルメート、ベンゼン、トルエン、ｐ−キシレン及び酢酸のそれぞれを約１ｐｐｍｖ〜約１，０００ｐｐｍｖ、メタノール約３，０００ｐｐｍｖ〜約１４，０００ｐｐｍｖ、及び残余量の窒素の組成を有していた。
約４１５℃〜約５１０℃の反応容器温度、約１６０ｐｓｉｇ〜約１７０ｐｓｉｇの反応容器圧力及び約１０，０００ｈｒ-1の空間速度（標準条件におけるガス流速／触媒容量）においては、一酸化炭素、メチルアセテート、メチルブロミド、メチルホルメート、ベンゼン、トルエン、ｐ−キシレン及び酢酸の転化率は、約９７％以上の範囲であった。約３１０℃〜約５１０℃の反応容器温度及び約１０，０００ｈｒ-1の空間速度においては、メタノールの転化率は約９９％以上の範囲であった。燃焼によって生成する反応容器流出流の分析によって、二酸化炭素、水、元素状臭素（Ｂｒ2）及び臭化水素（ＨＢｒ）が認められた。約１ｐｐｍｖを超える濃度で検出することのできる中間酸化化合物は検出されなかった。これらの実験全体にわたって、触媒の活性に対する悪影響は観察されなかった。
比較例Ａ
この比較例においては、実施例１と同様に、しかしながら触媒を用いずに且つ全反応容器供給ガスを基準として約３０ｐｐｍｖ〜約６０ｐｐｍｖの範囲の極めて低いメタノール濃度を用いて、一連の実験を行った。実施例１において用いた操作条件下においては、反応容器供給ガス中の有機化合物又は一酸化炭素の大きな酸化は認められず、約５５０℃以上の反応容器温度、９５６〜１１０３ｋＰａ（約１４０ｐｓｉｇ〜約１６０ｐｓｉｇ）の反応容器圧力においても認められなかった。
比較例Ｂ
この比較例においては、実施例１と同様に、しかしながら可燃性流体を反応容器供給ガスに加えずに、且つ全反応容器供給ガスを基準として約３０ｐｐｍｖ〜約３５ｐｐｍｖの範囲の極めて低いメタノール濃度を用いて、一連の実験を行った。外部電気ヒーターで加熱することによって触媒床の温度を制御した。
反応容器に入るガス状混合物は、酸素約２％〜約６％、一酸化炭素約０．１％〜約０．５％、二酸化炭素約０．５％〜約３．０％、水約０．２％〜約２．０％、メチルアセテート、メチルブロミド、メチルホルメート、ベンゼン、トルエン、ｐ−キシレン及び酢酸のそれぞれを約１ｐｐｍｖ〜約１，０００ｐｐｍｖ、及び残余量の窒素の組成を有していた。
約１４０ｐｓｉｇ〜約１５０ｐｓｉｇの範囲の反応容器圧力、約４３８℃以上の範囲の反応容器温度及び約１０，６００ｈｒ-1の空間速度においては、一酸化炭素、メチルアセテート、メチルブロミド、メチルホルメート、ベンゼン、トルエン、ｐ−キシレン及び酢酸の転化率は、約９５％以上の範囲であった。約４９４℃以上の範囲の反応容器温度においては、転化率は約９８％以上の範囲であった。
比較例Ｃ
この比較例においては、実施例１と同様に、しかしながら可燃性流体としてヘキサンを用い、粒状形態の非貴金属揮発性有機化合物分解触媒を用いて、一連の排気ガス処理を行った。
反応容器に入るガス状混合物は、酸素約５．８％、水２．０％、メチルブロミド及びメタノールをそれぞれ約１ｐｐｍｖ〜約１，０００ｐｐｍｖ、ヘキサン約４，０００ｐｐｍｖ〜約５，０００ｐｐｍｖ、及び残余量の窒素の組成を有していた。
約４１５℃〜約５１０℃の反応容器温度、約１１０ｐｓｉｇ〜約１３０ｐｓｉｇの反応容器圧力、約１０，０００ｈｒ-1の空間速度（標準条件におけるガス流速／触媒容量）においては、メチルブロミド、メタノール及びヘキサンの転化率は、それぞれ、反応容器を横切る濃度の減少によって測定して、約９１％、９２％及び９９．８％であった。燃焼によって生成する反応容器流出流の分析により、二酸化炭素、一酸化炭素、水、元素状臭素（Ｂｒ2）及び臭化水素（ＨＢｒ）が認められた。しかしながら、反応容器流出ガス中に約１０ｐｐｍｖのベンゼンが認められた。おそらく、これはヘキサンから形成されたベンゼンであると考えられる。流出ガス中にブロモベンゼンも同様に検出され、これは、ベンゼンと臭素（Ｂｒ2）との反応によって生成することができる。可燃性流体のために好適なレベルで反応容器供給ガス中にヘキサンを存在させると、ベンゼン及びブロモベンゼンが形成されるために、ヘキサンは可燃性流体として好適でなかった。
好ましい態様の簡単な説明
本発明は多くの異なる形態の態様において可能であるが、本明細書及び添付の図面は、本発明の使用の例としてごく一部の特定の形態しか開示していない。圧縮空気を用いる触媒液相酸化プロセスからの排気ガスの処理のための本発明の特に好ましい態様が示される。本発明は、これらの態様に限定されるものではなく、本発明の範囲は特許請求の範囲によって定まる。
本発明の装置は、ある種の通常の部品と共に用いられる。それらの詳細はここでは完全には説明しないが、当業者には明らかであり、かかる部品の必要な機能は容易に理解されるであろう。
より詳しくは、図１を参照すると、統合排気ガス処理システムは、好適な固体酸化触媒を含む、酸化容器４４として示される１以上の酸化容器；交換器２２として示される排気ガスヒーター；及び塔６６として示される急冷及び／又はスクラビングユニット；を有する。
システムの操作中は、例えば圧縮空気を用いる触媒液相酸化プロセスからの揮発性化合物及び過剰の二酸素を含む排気ガス流が、導管２１を通って熱交換器２２中に流れ、ここで排気ガス流は、少なくとも最小触媒転化温度に加熱される。このような排気ガス流の窒素含有率は、通常約９０容量％以上であり；二酸素含有率は１０％未満、通常は約７．５％未満であり；炭素酸化物及び水蒸気は共に約７．５％未満、通常は約５％未満である。有利には、排気ガス流中の有機汚染物質のレベルは、操作条件における低爆発限界を実質的に下回り、好ましくは低爆発限界の約５０％未満である。加熱されたガスの温度は、約１５０℃以上の範囲、概して約２００℃〜約６００℃の範囲である。加熱されたガス流は、交換器２２から、導管２５及び３３を通して、酸化容器４４中に送られる。
揮発性化合物の触媒酸化を容易にするために、所定量の可燃性流体を、導管３１を通して加熱排気ガス流中に、或いは酸化容器の上流の他の好適な位置に添加する。可燃性流体の量は、通常、計量ポンプ又は流動制御システム（図示せず）によって制御される。供給する可燃性流体の量を制御するための手段は、酸化容器４４中の好適な反応温度を保持するのに十分な触媒酸化のための反応物質を与えるように調整される。
可燃性流体の量は、少なくとも酸化触媒の上流の排気ガス流の温度及び酸化触媒の下流の排気ガス流の温度、及び場合によってはプロセス流速及びガス流組成を測定するための、熱電対のような従来のプロセス装置を用いて、手動で制御することができる。しかしながら、有利には供給される可燃性流体の量を制御するように適合された自動プロセス制御装置を配置して、酸化容器４４中の好適な反応温度を保持し、ガス中の有機化合物の全量を、操作条件における低爆発限界（ＬＥＬ）を実質的に下回る、好ましくはＬＥＬの約５０％以下の範囲、より好ましくはＬＥＬの約２５％以下の範囲に制限するのに十分な触媒酸化のための反応物質を与える。
好適な操作条件下で選択された酸化触媒を用いると、ハロ有機化合物でさえも有利には分解される。特に、メチルブロミドが分解されて、臭化水素及び／又は臭素が形成される。
酸化容器４４からの熱流出ガスの温度は、約２００℃以上の範囲、概して約３００℃〜約６００℃の範囲である。酸化容器４４からの熱流出ガスは、導管４３及び４５を通して、交換器２２に送られ、ここで導入される排気ガスに対して熱交換することによって冷却される。交換器２２からの流出ガスは、導管２３を通して、塔６６の塔底中に送られて、そこでガス流が急冷及びスクラビングされる。好適な水性溶媒を、液体供給ライン５１を通して塔６６中に供給する。
概して、水性溶媒は、化学的塩基、即ち水溶液中においてヒドロキシドイオン濃度を上昇させる物質の希釈溶液である。これらのアルカリ性水溶液のｐＨは、約７以上の範囲、好ましくは約７〜約９の範囲である。ハロゲン含有化合物がガス流中に存在する場合には、溶媒は、有利には、ハロゲンと反応してスクラビング操作を促進させる更なる化合物を含むことができる。明らかに、アルカリ金属及びカルシウム、ストロンチウム、バリウム及びアンモニウムイオンの可溶性酸化物、水酸化物、炭酸塩、硫化物等が、概して有利な化合物である。有用な化合物の源としては、石灰（ＣａＯ）、アンモニア（ＮＨ3）、水酸化アンモニウム（ＮＨ4ＯＨ）、水酸化ナトリウム（ＮａＯＨ）、炭酸ナトリウム（Ｎａ2ＣＯ3）、重炭酸ナトリウム（ＮａＨＣＯ3）、ギ酸ナトリウム（ＮａＣＯ2Ｈ）、硫化ナトリウム（ＮａＳ）、尿素（ＮＨ2ＣＯＮＨ2）、ホルムアルデヒド（ＨＣＨＯ）などのような産業化学物質が挙げられる。塩化水素、塩素、臭化水素及び／又は臭素のような化合物がガス流中に存在する場合には、水性溶媒は、有利には、希釈苛性物を含む。
可溶性化合物の溶液は、塔底液体ライン５３を通して、システムから任意の好適な液体／固体廃棄処理装置にパージされる。処理されたガス流は、塔頂ライン６３を通して、塔６６から、プラント内で用いるためのエネルギー回収及び／又は不活性キャリアガスのような処理装置に送られるか、或いは排気される。
本発明による方法によって、通常、約９０％以上の範囲、好ましくは約９５％以上の範囲の一酸化炭素に関する分解効率、約８０％以上の範囲、好ましくは約９０％以上の範囲の炭化水素に関する分解効率、及び約５０％以上の範囲、好ましくは約８５％以上の範囲のメチルブロミドに関する効率が達成される。
システムの操作は、通常、空気（供給は図示せず）及び導管７１を通してバーナー７２に供給される任意の都合のよい燃料を用いて開始され、加熱炎管ガスを生成し、これをバーナー７２から導管７３及び４５を通して熱交換器２２に流し、ここで、圧縮空気（供給は図示せず）のような酸素含有出発ガス流が、少なくとも最小触媒転化温度、通常は約１５０℃以上の範囲の温度に加熱される。出発のための他の好適な熱源としては、蒸気、加熱油及び電気ヒーターが挙げられる。加熱された出発ガス流は、交換器２２から、導管２５及び３３を通して、酸化容器４４に送られる。触媒酸化からの流出液が十分な熱を与えて、好適な操作条件を維持するためにバーナー７２からの熱がもはや必要でなくなるまで、増加した量の可燃性流体が、酸化容器の上流の導管３１を通して加熱ガス流中に添加される。
【図１】
0004011116.tif 000002